(57)【要約】【課題】  製造の煩雑化を招くことなく、ＬＥＤの熱を効率良く外部に放熱できるようにして、装置の小型化と製造コストの低減を図りつつ、ＬＥＤの安定発光を得ることのできる内視鏡装置を提供する。【解決手段】  アダプタハウジングに取り付けられる取付ベース２０を金属材料によって形成し、この取付ベース２０上にＬＥＤベアチップ２３を取り付ける。さらに、外表面から電極面が露出するように電極金属２１Ａ，２１Ｂを埋設した絶縁性板状部材２２を取付ベース２０に取り付け、電極金属２１Ａ，２１Ｂの電極面とＬＥＤベアチップ２３の電極部をワイヤボンディングによるワイヤ配線２６によって結線する。【選択図】  図１
2005253510.tif 000002
【特許請求の範囲】
【請求項１】
内視対象の管腔内に挿入される挿入部にＬＥＤ照明手段が設けられた内視鏡装置において、
前記ＬＥＤ照明手段は、
挿入部のハウジングに設けられた金属製の取付ベースと、
この取付ベースに固定設置されたＬＥＤベアチップと、
外表面から電極面が露出するように電極金属が埋設され、前記取付ベースに取り付けられた絶縁性板状部材と、
前記ＬＥＤベアチップを絶縁性板状部材の電極面に接続する配線手段と、
を備えていることを特徴とする内視鏡装置。
【請求項２】
前記配線手段はワイヤボンディングによるワイヤ配線であることを特徴とする請求項１に記載の内視鏡装置。
【請求項３】
前記ＬＥＤベアチップの周囲を囲繞する収容孔を有するキャビティ部材を設け、そのキャビティ部材を前記取付ベースの前面側に配置固定し、前記収容孔内において前記ＬＥＤベアチップの前面に蛍光体を塗布したことを特徴とする請求項１または２に記載の内視鏡装置。
【請求項４】
前記絶縁性板状部材を取付ベースと略同形状に形成すると共に、その絶縁性板状部材に板厚方向に貫通するチップ取付孔を形成し、その絶縁性板状部材を取付ベースの前面側に配置して、ＬＥＤベアチップを前記チップ取付孔を通して取付ベースの前面に固定すると共に、前記キャビティ部材を、絶縁性板状部材の前面に同絶縁性板状部材の電極面を被覆しないように配置し、前記取付ベース、絶縁性板状部材、キャビティ部材を重合状態で結合したことを特徴とする請求項３に記載の内視鏡装置。
【請求項５】
前記絶縁性板状部材を軟質材料によって形成したことを特徴とする請求項４に記載の内視鏡装置。
【請求項６】
前記ＬＥＤベアチップを取付ベースの前面に固定し、電極金属が夫々埋設された一対の絶縁性板状部材を、取付ベースの前面のうちの前記ＬＥＤベアチップの配置されていない部位に取付けたことを特徴とする請求項１または２に記載の内視鏡装置。
【請求項７】
前記取付ベースと略同形状であり、前記ＬＥＤベアチップの周囲を囲繞する収容孔と、前記各絶縁性板状部材に対応する切欠き部とを有するキャビティ部材を設け、そのキャビティ部材を前記取付ベースの前面側に重合固定し、前記収容孔内において前記ＬＥＤベアチップの前面に蛍光体を塗布したことを特徴とする請求項６に記載の内視鏡装置。
【発明の詳細な説明】
【技術分野】
【０００１】
この発明は、内視対象の管腔内に挿入される挿入部にＬＥＤ照明手段が配置された内視鏡装置に関するものである。
【背景技術】
【０００２】
工業用や医療用として使用される内視鏡装置は、管腔内に挿入される挿入部の先端側に、観察若しくは撮像のための光学系が設けられると共に、管腔内の内視対象の周辺を照らし出すための照明手段が設けられている。この照明手段としては、外部の光源の光を光ファィバーを介して対象物に照射するものが多く用いられているが、近年、発光ダイオード（本明細書においては「ＬＥＤ」と呼ぶものとする。）を挿入部に直接取付け、そのＬＥＤの光によって内視対象の周辺を照射するものが開発されている（例えば、特許文献１参照。）。
【０００３】
このＬＥＤ照明手段を用いた従来の内視鏡装置は、ガラスエポキシから成る絶縁性の取付ベースに配線がプリントされ、その取付ベース上のプリント配線にＬＥＤのパッケージチップ（ＬＥＤベアチップを電極や蛍光体層、封止層等と共にパッケージ化したもの。）が接続固定されると共に、プリント配線上の電極部が外部の電源ユニットに配線接続されている。このようにＬＥＤのパッケージチップを実装した取付ベースは挿入部先端の筒状のハウジング内に固定されている。
【特許文献１】特開２００２−５６２号公報
【発明の開示】
【発明が解決しようとする課題】
【０００４】
しかし、この従来の内視鏡装置においては、ＬＥＤのパッケージチップを取り付ける取付ベースが熱伝導性の悪いガラスエポキシから成るため、ＬＥＤ点灯時に発する熱が外部に逃げにくく、特に、挿入部を小型化しようとすると、ＬＥＤの熱がハウジングの内部にこもり易くなる。そして、ＬＥＤの熱がハウジングの内部にこもると、ＬＥＤの発光が不安定になることが懸念される。
【０００５】
また、この対策として取付ベースを熱伝導性の良い金属材料によって形成することが考えられるが、金属材料の上に配線や電極を配置する場合には、通常、金属材料の外表面に絶縁皮膜を設け、その絶縁皮膜の上に配線や電極を形成する。ところが、このようにして金属製の取付ベース上に配線や電極を形成すると、ＬＥＤの放熱性は若干改善されるものの製造が煩雑になるため、装置の小型化が難しくなるうえ、製造コストの高騰を招き易くなる。
【０００６】
そこでこの発明は、製造の煩雑化を招くことなく、ＬＥＤの熱を効率良く外部に放熱できるようにして、装置の小型化と製造コストの低減を図りつつ、ＬＥＤの安定発光を得ることのできる内視鏡装置を提供しようとするものである。
【課題を解決するための手段】
【０００７】
上記目的を達成するために、この発明の内視鏡装置は、挿入部のＬＥＤ照明手段を、挿入部のハウジングに設けられた金属製の取付ベースと、この取付ベースに固定設置されたＬＥＤベアチップと、外表面から電極面が露出するように電極金属が埋設され、前記取付ベースに取り付けられた絶縁性板状部材と、前記ＬＥＤベアチップを絶縁性板状部材の電極面に接続する配線手段と、を備えた構成とした。
【０００８】
このようにした場合、ＬＥＤベアチップで発生した熱は金属製の取付ベースを通して外部に効率良く放熱される。また、絶縁性板状部材には電極面が外表面から露出するように電極金属が埋設されているため、絶縁性板状部材を取付ベースに接着等によって取り付けるだけで金属製の取付ベース上に電極が容易に設置される。さらに、ＬＥＤはベアチップのまま取付ベースに取り付けられるため、パッケージチップとして取付ベースに取り付ける場合に比較して放熱効率が良くなる。
【０００９】
前記配線手段は、例えば、ワイヤボンディングによるワイヤ配線によって構成することにより、各ＬＥＤベアチップを容易に電極に接続することが可能となる。
【００１０】
また、この発明の内視鏡装置は、さらに前記ＬＥＤベアチップの周囲を囲繞する収容孔を有するキャビティ部材を設け、そのキャビティ部材を前記取付ベースの前面側に配置固定し、前記収容孔内において前記ＬＥＤベアチップの前面に蛍光体を塗布するようにしても良い。
【００１１】
このようにした場合、キャビティ部材の収容孔によってＬＥＤベアチップの周囲を囲繞し、その状態でＬＥＤベアチップの前面に蛍光体を塗布すると、必要外の蛍光体の流出が阻止され、所望の厚みの蛍光体の膜がＬＥＤベアチップの前面側に容易に形成される。
【００１２】
また、この発明の内視鏡装置は、前記絶縁性板状部材を取付ベースと略同形状に形成すると共に、その絶縁性板状部材に板厚方向に貫通するチップ取付孔を形成し、その絶縁性板状部材を取付ベースの前面側に配置して、ＬＥＤベアチップを前記チップ取付孔を通して取付ベースの前面に固定すると共に、前記キャビティ部材を、絶縁性板状部材の前面に同絶縁性板状部材の電極面を被覆しないように配置し、前記取付ベース、絶縁性板状部材、キャビティ部材を重合状態で結合するようにしても良い。
【００１３】
このようにした場合、絶縁性板状部材が取付ベースとキャビティ部材で挟み込まれるかたちで固定されるため、ＬＥＤ照明手段の組付けが容易になる。
【００１４】
また、このとき絶縁性板状部材を軟質材料によって形成すれば、チップ取付孔の周域が取付ベースとキャビティ部材に密着し、収容孔の底部側からの蛍光体の漏れをより確実に防止できるようになる。
【００１５】
また、前記ＬＥＤベアチップを取付ベースの前面に固定し、電極金属が夫々埋設された一対の絶縁性板状部材を、取付ベースの前面のうちの前記ＬＥＤベアチップの配置されていない部位に取付けるようにしても良い。
【００１６】
このようにした場合、絶縁性板状部材を小型化して材料歩留まりを高めることが可能となる。
【００１７】
さらに、取付ベースと略同形状であり、前記ＬＥＤベアチップの周囲を囲繞する収容孔と、前記各絶縁性板状部材に対応する切欠き部とを有するキャビティ部材を設け、そのキャビティ部材を前記取付ベースの前面側に重合固定し、前記収容孔内において前記ＬＥＤベアチップの前面に蛍光体を塗布するようにしても良い。
【００１８】
このようにした場合、キャビティ部材が取付ベースと略同形状の単一部品であることから、部品の組付性が良好となる。
【発明の効果】
【００１９】
この発明は、ＬＥＤベアチップで発生した熱を金属製の取付ベースによって効率良く外部に放熱することができるうえ、電極金属を埋設した絶縁性板状部材を取り付けることによって取付ベース上に容易に電極を設置することができるため、装置の大型化や製造コストの高騰を招くことなく、放熱性の向上によるＬＥＤの安定発光を得ることができる。
【発明を実施するための最良の形態】
【００２０】
次に、この発明の各実施形態を図面に基づいて説明する。
【００２１】
＜第１の実施形態＞
最初に、図１〜図６に示す第１の実施形態について説明する。
図２は、この発明にかかる内視鏡装置全体の概略構成を示すものである。同図に示すように、この内視鏡装置は、長尺な軟性管１の先端側にレンズアダプタ２が接続されて成る挿入部３と、この挿入部３が巻き取られる巻取りドラム４と、この巻取りドラム４の巻取り部を回転自在に収納保持する装置フレーム５と、を備えている。尚、図２中、６は、持ち運び時に装置フレーム５を巻取りドラム４と共に収納する収納ケースであり、７は、交換用のレンズアダプタ２Ａを収納するためのアダプタ収納ボックスである。
【００２２】
この内視鏡装置は、挿入部３に撮像手段としてのＣＣＤ（図示せず。）が設けられ、そのＣＣＤで捕えた画像信号を、軟性管１の内部の信号線を通して前記巻取りドラム４に設置された信号処理回路（図示せず。）に出力するようになっている。そして、信号処理回路で処理された画像信号は、巻取りドラム４の側部の非回転部等に設置された液晶パネル等の画像表示手段（図示せず。）に映像として映し出されるようになっている。尚、巻取りドラム４には、前記信号処理回路の他、バッテリ電源に接続された主電源回路（図示せず。）や、挿入部３の先端側を任意の方向に湾曲操作するための操作アクチュエータ（図示せず。）等が内蔵されている。
【００２３】
管腔に挿入される挿入部３は、前述のように軟性管１の先端側にレンズアダプタ２が設けられているが、さらに詳しくは、軟性管１の先端側には前記操作アクチュエータによって操作される湾曲部８が設けられ、この湾曲部８の先端側に設けられた連結プラグ９にレンズアダプタ２が脱着可能に接続されている。この連結プラグ９は、金属等の硬質材料から成り、その先端面には、前述したＣＣＤが設けられると共に、図３に示すように、一対の電極１０Ａ，１０Ｂが前方に突出して設けられている。この電極１０Ａ，１０Ｂは、軟性管１（図２参照。）内のリード線（図示せず。）を通して巻取りドラム４内の主電源回路に接続されている。
【００２４】
図３に示すレンズアダプタ２は所謂直視型のものであり、内視対象物に対峙しその像を連結プラグ９のＣＣＤ上に結ぶ対物レンズ群１１が軸方向に沿って直列に配置されている。対物レンズ群１１は、保持部材１２の先端側の小径の筒状壁１３内に保持され、その保持部材１２と固定用のカラー１４を介して略円筒状のアダプタハウジング１５（挿入部のハウジング）内に固定されている。保持部材１２は、筒状壁１３の基部側が拡径して段差状に形成され、その拡径した段差部１６の外周縁部に後方側（図３中右側。）に向かって延出する円筒状の接続壁１７が設けられている。この接続壁１７については後に詳述する。また、段差部１６の背面には環状凹部２９が形成され、この環状凹部２９に孔あき円板状の電極基板３０と導電ゴム３１が収容配置されている。尚、アダプタハウジング１５や保持部材１２は放熱性に優れたアルミニウム等の金属材料によって形成されている。
【００２５】
また、保持部材１２の筒状壁１３の外周側には、全体がほぼ短軸円筒状を呈するＬＥＤ照明手段１８が設けられている。このＬＥＤ照明手段１８は、筒状壁１３に外嵌された状態において、保持部材１２及びカラー１４と共にアダプタハウジング１５内に後方側（図    中右側。）から嵌入され、アダプタハウジング１５の前縁に設けられた内向きフランジ１９と保持部材１２の段差部１６によって前後で挟み込むかたちでアダプタハウジング１５内に固定されている。
【００２６】
図１、及び、図３〜図６に示すように、ＬＥＤ照明手段１８は、アルミニウム等の熱伝導性の良い金属材料によって形成された取付ベース２０と、一対の電極金属２１Ａ，２１Ｂが埋設された絶縁性板状部材２２と、この絶縁性板状部材２２を貫通して取付ベース２０の前面に接着固定された複数のＬＥＤベアチップ２３と、各ＬＥＤベアチップ２３の周囲を囲繞する収容孔２４を有する一対のキャビティ部材２５Ａ，２５Ｂと、絶縁性板状部材２２の両電極面（電極金属２１Ａ，２１Ｂ）と各ＬＥＤベアチップ２３を電気的に接続する配線手段としての、ワイヤボンディングによるワイヤ配線２６と、各ＬＥＤベアチップ２３の前面側に配置された蛍光体２７（図１参照。）と、キャビティ部材２５Ａ，２５Ｂと電極金属２１Ａ，２１Ｂの前面側を封止する透明な封止板２８と、を備えている。
【００２７】
取付ベース２０は、厚肉で中心に孔を有する孔あき円板状に形成され、その外周面がアダプタハウジング１５の内周に嵌合される一方で、内周面が保持部材１２の筒状壁１３の先端部外周に嵌合されるようになっている。そして、この取付ベース２０の内周面の対向位置には断面半円状の配線案内溝３２，３２が軸方向に沿って形成されている。尚、図３に示すように、保持部材１２の段差部１６には、取付ベース２０の配線案内溝３２，３２に連続する挿通孔３３，３３が形成されており、前記電極基板３０に結線された配線３４Ａ，３４Ｂがこれらの挿通孔３３，３３と配線案内溝３２，３２を通して取付ベース２０の前方側に引き出されるようになっている。
【００２８】
絶縁性板状部材２２は、柔軟性を有する絶縁材料から成る基材に略扇形状の電極金属２１Ａ，２１Ｂが埋設され、その各電極金属２１Ａ，２１Ｂが基材の前面側外表面から露出してその露出面が電極面とされている。この絶縁性板状部材２２は各電極金属２１Ａ，２１Ｂが金属製の取付ベース２０と非接触となるように取付ベース２０の前面に重合されている。また、絶縁性板状部材２２の基材は、取付ベース２０の前面とほぼ同形状に形成され、その円環状の前面の軸対称位置に前記電極金属２１Ａ，２１Ｂが配置されると共に、両電極金属２１Ａ，２１Ｂの配置部間に板厚方向に貫通する複数のチップ取付孔３５‥（図１参照。）が周方向等間隔に形成されている。この各チップ取付孔３５には前記ＬＥＤベアチップ２３の基部が挿入され、各ＬＥＤベアチップ２３がこのチップ取付孔３５を通して取付ベース２０の前面に直接接着固定されている。尚、この実施形態においては、ＬＥＤベアチップ２３は青色ＬＥＤ、若しくは、紫色ＬＥＤが用いられ、その前面側には白色光を得るためにＹＡＧ（イットリウム・アルミニウム・ガーネット）系の蛍光体２７が配置されるようになっている。この蛍光体２７については後に詳述する。
【００２９】
また、絶縁性板状部材２２の各電極金属２１Ａ，２１Ｂに近接する内周縁部には、取付ベース２０の配線案内溝３２，３２に合致する切欠き３６，３６が形成されており、前記電極基板３０に接続された配線３４Ａ，３４Ｂがこの切欠き３６，３６を通して絶縁性板状部材２２の前面側に引き出されている。そして、各切欠き３６，３６から引き出された配線３４Ａ，３４Ｂは絶縁性板状部材２２の各電極面（電極金属２１Ａ，２１Ｂ）に対してはんだ固定されている。
【００３０】
キャビティ部材２５Ａ，２５Ｂは、取付ベース２０の前面形状にほぼ沿った円弧形状に形成され、絶縁性板状部材２２の前面のうちの、両電極金属２１Ａ，２１Ｂ間の円弧状領域に重合されている。各キャビティ部材２５Ａ，２５Ｂには、前述のようにＬＥＤベアチップ２３の周囲を囲繞する収容孔２４が等間隔に複数形成されており、キャビティ部材２５Ａ，２５Ｂは、ＬＥＤベアチップ２３が各収容孔２４の中心位置に配置されるように絶縁性板状部材２２の前面に重合されている。そして、取付ベース２０と絶縁性板状部材２２、絶縁性板状部材２２とキャビティ部材２５Ａ，２５Ｂは夫々接着固定されている。尚、取付ベース２０と絶縁性板状部材２２、キャビティ部材２５Ａ，２５Ｂは、これらを板厚方向に重合し、その状態においてビス等によって共締め固定するようにしても良い。
【００３１】
ここで、各ＬＥＤベアチップの電極面は夫々前方に向くように並んで配置されており、絶縁性板状部材２２の電極金属２１Ａ，２１Ｂは前述のように前面側に露出している。そして、絶縁性板状部材２２の両電極面（電極金属２１Ａ，２１Ｂ）と各ＬＥＤベアチップ２３は、図５に示すようにキャビティ部材２５Ａ，２５Ｂの前面側からワイヤボンディングによるワイヤ配線によって結線されており、一方のキャビティ部材２５Ａ側に配置された複数のＬＥＤベアチップ２３‥と、他方のキャビティ部材２５Ｂ側に配置された複数のＬＥＤベアチップ２３‥は夫々直列に接続され、こうして直列に接続された二つのベアチップ列は両電極金属２１Ａ，２１Ｂに対して並列に接続されている。
【００３２】
また、各ＬＥＤベアチップ２３の前面側に配置される蛍光体２７の膜は、前述のように各ＬＥＤベアチップ２３をワイヤボンディングによって電極面（電極金属２１Ａ，２１Ｂ）に接続した後、蛍光体２７の溶液をキャビティ部材２５Ａ，２５Ｂの各収容孔２４内に前面側から流し込み、そのまま乾燥させて凝固させることによって形成されている。
【００３３】
封止板２８は、透明なガラスもしくは樹脂によって取付ベース２０と略同形状で中心に孔を有する孔あき円板状に形成されており、キャビティ部材２５Ａ，２５Ｂと電極面の前面側に絶縁性の透明接着剤を塗布し、その接着剤を介してキャビティ部材２５Ａ，２５Ｂの前面側に固定されている。
【００３４】
ここで、前記保持部材１２に延設された接続壁１７は、図３に示すように、アダプタハウジング１５の後端面から同ハウジング１５の外部に向かって突出し、その突出端には段差状に拡径したガイド筒３７が一体に形成されている。このガイド筒３７には、円筒状の接続リング３８が摺動及び回動自在に外嵌されており、この接続リング３８の一端部には、ガイド筒３７の段差部３７ａに当接可能な内向きのストッパフランジ３９が一体に形成されている。また、接続リング３８の内周面には、第１の雌ねじ４０と第２の雌ねじ４１が軸方向に所定距離離間して設けられている。
【００３５】
一方、連結プラグ９の外周面には固定用の雄ねじ４２が設けられ、この雄ねじ４２に対して接続リング３８の第１の雌ねじ４０と第２の雌ねじ４１を順次螺合することにより、レンズアダプタ２を連結プラグ９に連結し得るようになっている。即ち、レンズアダプタ２の接続リング３８を連結プラグ９の前端部に嵌合し、その状態のまま接続リング３８を所定方向に回転させると、接続リング３８の軸方向変位がストッパフランジ３９とガイド筒３７の段差部３７ａとの当接によって規制された状態において、連結プラグ９の雄ねじ４２が第１の雌ねじ４０、さらに、第２の雌ねじ４１に順次締め込まれてゆき、その結果、連結プラグ９の前端部にレンズアダプタ２が結合される。そして、このとき連結プラグ９の前端面から突出した一対の電極１０Ａ，１０Ｂは導電ゴム３１を押圧した状態で同ゴム３１に当接し、この導電ゴム３１を通して電極基板３０上の電極３０Ａ，３０Ｂ（図６参照。）に電気的に接続される。尚、第１の雌ねじ４０は、連結プラグ９の雄ねじ４２が第２の雌ねじ４１に締め込まれた後には雄ねじ４２との螺合が外れるが、この第１の雌ねじ４０は、雄ねじ４２と第２の雌ねじ４１の螺合が万が一緩んだときに脱落防止用のストッパとして機能する。
【００３６】
また、導電ゴム３１は、図６に示すように、シリコンゴム等の絶縁性のゴム素材３１ａに、ニッケル粒子や金メッキを施した金属粒子等の導電部材３１ｂをドット状に埋設したものであり、通常、ドットタイプの異方導電性ゴム等と呼ばれているものである。この導電ゴム３１は前記のような構成であるため、弾性体であるゴム素材３１ａを厚さ方向に押圧すると、その圧縮変形によって高密度化した導電部材３１ｂ間の導電性が増し、それによって厚み方向の通電が許容されるようになる。しかし、このときゴム素材３１ａが絶縁部材であることから、ゴム素材３１ａの厚み方向以外の方向（例えば、周方向。）については絶縁状態が維持される。したがって、前記のようにレンズアダプタ２の電極基板３０上の電極３０Ａ，３０Ｂと、連結プラグ９の電極１０Ａ，１０Ｂ（図３参照。）との接続部に導電ゴム３１を採用したこの実施形態においては、レンズアダプタ２と連結プラグ９の対向位置にある電極同士のみを確実に電気的に接続することができる。
【００３７】
尚、図３に示すようにレンズアダプタ２側の接続壁１７の内周面と、連結プラグ９の外周面には、夫々位置決め突起４３と受け溝４４が設けられており、レンズアダプタ２と連結プラグ９を接続する場合に、位置決め突起４３と受け溝４４を係合することによって両者の回転位置を正確に合致させられるようになっている。
【００３８】
この実施形態の内視鏡装置は、以上構成を説明したように、ＬＥＤ照明手段１８の取付ベース２０が熱伝導性に優れたアルミニウム等の金属材料によって形成されているうえ、この取付ベース２０の前面にＬＥＤベアチップ２３が直接接着固定されているため、ＬＥＤ点灯時に発生した熱をＬＥＤベアチップ２３から取付ベース２０とアダプタハウジング１５を介して効率良く外部に放熱させることができる。したがって、ＬＥＤを連続点灯させたときにあっても、アダプタハウジング１５内に熱がこもりにくく、熱によってＬＥＤの照射が不安定になる不具合を無くすことができる。
【００３９】
また、この内視鏡装置においては、電極金属２１Ａ，２１Ｂを埋設した絶縁性板状部材２２を金属製の取付ベース２０の前面に接合して、取付ベース２０の前面に電極面を設置するようにしているため、金属製の取付ベースの前面に絶縁被膜を設け、その皮膜上に配線や電極を設ける場合に比較にして製造が容易になるという利点がある。つまり、この実施形態の場合、電極金属２１Ａ，２１Ｂを埋設した絶縁性板状部材２２を予め別の場所で製造しておげば、ＬＥＤ照明手段１８の組付時には、その絶縁性板状部材２２を取付ベース２０の前面に単純に接合するだけで良いため、組付作業を効率的に進めることができる。特に、この実施形態においては、絶縁性板状部材２２を取付ベース２０の前面形状とほぼ同形状にして単純に重ね合わせるようにしているため、この点も組付作業性の向上に寄与している。
【００４０】
さらに、この実施形態の内視鏡装置の場合、絶縁性板状部材２２上の電極金属２１Ａ，２１Ｂの露出面と、各ＬＥＤベアチップ２３の電極部が共に前方側に向かって配置されているため、各ＬＥＤベアチップ２３と電極金属２１Ａ，２１Ｂのワイヤボンディングによる結線を容易に行うことができ、このことからも製造が容易となっている。
【００４１】
したがって、この実施形態の内視鏡装置においては、ＬＥＤ照明手段１８の製造を煩雑にすることなく、ＬＥＤの放熱性を確実に高めることができるため、レンズアダプタ２の小型化と製造コストの低減を図りつつ、熱のこもりによるＬＥＤ発光の不安定化を無くすことができる。
【００４２】
また、この実施形態の内視鏡装置においては、キャビティ部材２５Ａ，２５Ｂを取付ベース２０の前面側に配置し、そのキャビティ部材２５Ａ，２５Ｂの収容孔２４内において、各ＬＥＤベアチップ２３の前面に蛍光体２７を塗布するようにしているため、凝固前の蛍光体２７が外部に流出することがなく、このことから各ＬＥＤベアチップ２３の前面に形成する蛍光体２７の膜の厚みを均一に管理することができる。特に、この実施形態においては、柔軟性を有する絶縁性板状部材２２を取付ベース２０とキャビティ部材２５Ａ，２５Ｂで挟み込むかたちとなっているため、絶縁性板状部材２２が取付ベース２０とキャビティ部材２５Ａ，２５Ｂに確実に密着し、蛍光体２７の塗布時における蛍光体液の流出をより確実に防止できるという利点がある。
【００４３】
さらに、この実施形態の内視鏡装置の場合、絶縁性板状部材２２の電極金属２１Ａ，２１Ｂと各ＬＥＤベアチップ２３をワイヤボンディングによって結線した後に、そのボンディングによるワイヤ配線２６が埋設されるように絶縁性の透明接着剤を塗布するようにしているため、結線の短絡による不良品の発生をより確実に無くすことができる。
【００４４】
尚、以上では絶縁性板状部材２２にチップ取付孔３５を形成し、その取付孔３５を通してＬＥＤベアチップ２３を取付ベース２０上に直接接着したが、絶縁性板状部材２２の厚みが充分に薄い場合には、絶縁性板状部材２２にチップ取付孔３５を形成せずにＬＥＤベアチップ２３を絶縁性板状部材２２に接着固定するようにしても良い。
【００４５】
また、以上では絶縁性板状部材２２を孔あき円板状に形成し、その絶縁性板状部材２２を取付ベース２０の前面に接着した後に、その絶縁性板状部材２２の前面にキャビティ部材２５Ａ，２５Ｂを重合固定したが、絶縁性板状部材２２を取付ベース２０の前面に接着した後に、図７中のクロスハッチングを入れた円弧状領域を切除して剥がし、絶縁性板状部材２２を剥がした取付ベース２０上の円弧状領域にキャビティ部材２５Ａ，２５Ｂを重合固定するようにしても良い。このようにした場合、取付ベース２０の前面にキャビティ部材２５Ａ，２５Ｂを直接固定することとなるため、ＬＥＤ照明手段全体１８の軸長を短くして、レンズアダプタ２をより小型化することが可能となる。
【００４６】
＜第２の実施形態＞
つづいて、図８に示す第２の実施形態について説明する。尚、この第２の実施形態を含め、以下で説明する各実施形態においては、夫々同一部分に同一符号を付して重複部分の説明を省略するものとする。
この実施形態の内視鏡装置は、ＬＥＤ照明手段１１８の構成のみが第１の実施形態と異なり、他の構成はほぼ同様の構成となっている。この実施形態のＬＥＤ照明手段１１８は、孔あき円板状に形成された金属製の取付ベース１２０の前面に、複数のＬＥＤベアチップ２３と一対の絶縁性板状部材１２２Ａ，１２２Ｂが接着固定されている。
【００４７】
ＬＥＤベアチップ２３は、第１の実施形態と同様に取付ベース１２０の円周方向に沿ってほぼ等間隔に配置されているが、各絶縁性板状部材１２２Ａ，１２２Ｂは立体的に一部折曲された略矩形状に形成され、かつ、各絶縁性板状部材１２２Ａ，１２２Ｂに電極金属１２１Ａ，１２１Ｂが夫々一つずつ埋設されている。各電極金属１２１Ａ，１２１Ｂは、第１の実施形態と同様に絶縁性板状部材１２２Ａ，１２２Ｂの前面から外部に露出し、その露出面が電極面とされている。
【００４８】
また、取付ベース１２０の前面には、ＬＥＤベアチップ２３の周囲を囲繞する複数の収容孔２４を備えたキャビティ部材１２５が直接接合されている。このキャビティ部材１２５は、取付ベース１２０とほぼ同外形の孔あき円板状に形成され、その円板形状の内周縁部には、前記各絶縁性板状部材１２２Ａ，１２２Ｂの少なくとも電極面（電極金属１２１Ａ，１２１Ｂ）を避けるように（少なくとも電極面が外部に露出するように）切欠き部５０が形成されている。
【００４９】
そして、各絶縁性板状部材１２２Ａ，１２２Ｂの電極金属１２１Ａ，１２１Ｂと各ＬＥＤベアチップ２３とは、キャビティ部材１２５の前面側からワイヤボンディングによって結線されており、各ＬＥＤベアチップ２３の前面には、第１の実施形態と同様にキャビティ部材１２５の収容孔２４内において蛍光体（図示せず。）が塗布されている。キャビティ部材１２５の前面には第１の実施形態と同様の絶縁性の接着剤を介して封止板２８が取り付けられている。
【００５０】
また、各絶縁性板状部材１２２Ａ，１２２Ｂの電極金属１２１Ａ，１２１Ｂは、第１の実施形態と同様に配線３４Ａ，３４Ｂを介してレンズアダプタ後部の電極基板（図示せず。）に接続されている。ただし、第１の実施形態についても同様であるが、レンズアダプタ後部の電極基板上の電極と接続用の配線は、図９に示す変形例のように絶縁性板状部材２２２Ａ（２２２Ｂ）に一体に形成するようにしても良い。図９において後部側の電極と配線は夫々符号２３０Ａ（２３０Ｂ）、２３４Ａ（２３４Ｂ）で示す。
【００５１】
この実施形態の内視鏡装置は以上のような構成であるため、基本的に第１の実施形態と同様の作用効果を得ることができるが、絶縁性板状部材１２２Ａ，１２２Ｂを各電極金属１２１Ａ，１２１Ｂ毎に別々に設け、夫々を取付ベース１２０上のＬＥＤベアチップ２３の配置されていない部位に取り付けたものであることから、絶縁性板状部材１２２Ａ，１２２Ｂの材料歩留まりが良いという利点があり、さらに、キャビティ部材１２５が取付ベース１２０とほぼ同形状の単一部品であることから、取付ベース１２０に対するキャビティ部材１２５の組付性が良いという利点もある。
【００５２】
＜第３の実施形態＞
図１０は、第３の実施形態を示すものであり、この実施形態の内視鏡装置は、図８に示す第２の実施形態の装置のキャビティ部材１２５を無くし、ＬＥＤベアチップ２３の前面にキャビティ部材１２５を用いずに蛍光体を塗布するようにしたものである。取付ベース１２０とＬＥＤベアチップ２３の前面には絶縁性の接着剤を介して封止板２８が直接固定されている。
【００５３】
この実施形態の場合、蛍光体の塗布自体は第２の実施形態のものに比較してむずかしくなるものの、キャビティ部材を設けない分、レンズアダプタ全体を小型・軽量化することができる。
【００５４】
＜第４の実施形態＞
図１１は、第４の実施形態を示すものである。この実施形態の内視鏡装置は、第３の実施形態と同様にキャビティ部材を無くしたタイプのものであるが、アダプタハウジング３１５に対するＬＥＤ照明手段３１８の組付けを同ハウジング３１５の前方側から行うようになっている。即ち、第１の実施形態等ではアダプタハウジング１５（図３参照）の前端縁に内向きフランジ１９を設け、同ハウジング１５の後方側からＬＥＤ照明手段１８を組付けるようにしていたが、この実施形態では、アダプタハウジング３１５に保持部材３１２を先に組付けておき、その状態でＬＥＤ照明手段３１８を同ハウジング３１５の前方側から挿入し、最後に、そのハウジング３１５の前縁部とＬＥＤ照明手段３１８の間にできた凹部６０内に透明な絶縁性の樹脂から成る封止剤（図示せず。）を充填するようにしている。勿論、この場合も封止板を凹部内に接着するようにしても良い。
【００５５】
また、ＬＥＤ照明手段３１８をアダプタハウジング３１５内に確実に位置決め固定するためには、例えば、図１１（Ａ）に示すように保持部材３１２の段差部の前面に突起６１を設けておき、取付ベース３２０の裏面に形成した対応する組付孔（図示せず。）をその突起６１に嵌入するようにしても良い。さらに、この実施形態では、アダプタハウジング３１５内にＬＥＤ照明手段３１８を組付けた後には、ＬＥＤ照明手段３１８の前面に凹部６０ができるため、その凹部６０ができた段階でＬＥＤベアチップ２３の前面に発光体を塗布するようにしても良い。
【００５６】
＜第５の実施形態＞
図１２，図１３は、第５の実施形態を示すものである。この実施形態の内視鏡装置は、第４の実施形態と同様にキャビティ部材を設けないタイプのＬＥＤ照明手段４１８をアダプタハウジング４１５の前方側から組付けるものであるが、アダプタハウジング４１５の内周面には係止用の段部７０，７１，７２が形成され、アダプタハウジング４１５の前方側から挿入された導電ゴム３１、保持部材４１２、取付ベース１２０が夫々段部７０，７１，７２に係止され、その状態で取付ベース１２０がアダプタハウジング４１５にビス止め等によって固定されている。尚、この実施形態では、ＬＥＤ照明手段４１８の取付ベース１２０と保持部材４１２、電極基板３０等が予め一体に組み付けられ、ユニットとしてアダプタハウジング４１５の内部に挿入組付けされるようになっている。
【００５７】
そして、ＬＥＤ照明手段４１８をアダプタハウジング４１５内に組み付けてできた同ハウジング４１５の先端側の凹部６０は、第４の実施形態と同様に封止剤の充填、若しくは、封止板の取付によって封止されている。また、この実施形態の場合、接続リング３８に係止される接続壁４１７は保持部材４１２に一体成形されているのではなく、アダプタハウジング４１５の後端部に別体部品として固定されている。
【００５８】
以上説明した第４，第５の実施形態は、第１〜第３の実施形態と同様の基本的な作用効果を得ることができるが、これらの実施形態は、ＬＥＤ照明手段３１８，４１８をアダプタハウジング３１５，４１５の前方側から取り付けるものであるため、製品完成後の修理や部品交換等をアダプタハウジング３１８，４１８の前方側から容易に行うことができるというさらなる利点がある。即ち、これらの実施形態のものにおいては、アダプタハウジング３１５，４１５の前面から封止剤や封止板を取り除いた後に、取付ベース１２０の固定を外し、さらに金属電極１２１Ａ，１２１Ｂと配線３４Ａ，３４Ｂのはんだ付けを前方側から外せば取付ベース１２０を容易に取り外すことができる。そして、さらに第５の実施形態のものにあっては、取付ベース１２０と保持部材４１２、電極基板３０がユニット化されているため、はんだ付けを外すことなく取付ベース１２０とアダプタハウジング４１５の固定を外せばユニットごとハウジング４１８から取り外すことができる。
【００５９】
＜第６の実施形態＞
図１４，図１５は、第６の実施形態を示すものである。この実施形態は所謂側視型のレンズアダプタ２Ａを採用するものであり、管腔内の内視対象物をレンズアダプタ２Ａの側面から像として捕えるようになっている。このために、アダプタハウジング５１５の先端部側面には段差状の切欠き面８０が設けられ、その切欠き面８０に、対物レンズ群の入射窓８１とＬＥＤ照明手段５１８が並列に並んで配置されている。そして、ＬＥＤ照明手段５１８は、切欠き面８０に設けられた窪み部８２内に配置され、ＬＥＤ照明手段５１８から引き出された配線３４Ａ（３４Ｂ）がアダプタハウジング５１５の基部に設けられた電極基板３０に接続され、前述の他の実施形態と同様に導電ゴム３１を介して連結プラグ（図示せず。）の電極１０Ａ（１０Ｂ）に接続されるようになっている。
【００６０】
ＬＥＤ照明手段５１８は、図１０に示した第３の実施形態と同様の基本構成とされ、金属製の取付ベース１２０に複数のＬＥＤベアチップ２３が接着される一方で、取付ベース１２０上に取り付けられた絶縁性板状部材１２２の各電極面（電極金属１２１Ａ，（１２１Ｂ））がワイヤボンディングによって結線され、これらの上面に封止剤や封止板が設けられている。尚、この実施形態のものは、取付ベース１２０の形状やＬＥＤベアチップ２３の配置等は第３の実施形態のものと若干異なるが、基本的な構造や機能は同様であるため、ここでは詳細な説明は省略する。
【００６１】
また、図１４，図１５では、キャビティ部材を設けないタイプが描かれているが、この側視型のレンズアダプタにおいても、第１，第２の実施形態のようにキャビティ部材を設け、そのキャビティ部材の収容孔内において各ＬＥＤベアチップの前面に蛍光体を塗布することも可能である。
【００６２】
尚、この発明の実施形態は以上で説明したものに限るものでなく、例えば、上述の各実施形態は、ＣＣＤによって撮影された映像を液晶パネル等の画像表示手段に映し出すタイプの内視鏡装置について説明したが、対物レンズ群で捕えた像を光ファィバー等のイメージガイドを通して接眼レンズから観察者が直接覗くタイプの内視鏡装置であっても良い。また、以上で説明した実施形態はすべて金属製の取付ベースをレンズアダプタのアダプタハウジングと別体に形成したが、取付ベースはアダプタハウジングと一体に形成するようにしても良い。
【図面の簡単な説明】
【００６３】
【図１】この発明の第１の実施形態を示す図５のＡ−Ａ線に沿う断面図。
【図２】同実施形態の内視鏡装置の全体概略構成を示す分解斜視図（Ａ）と、組立後の斜視図（Ｂ）を併せた図。
【図３】同実施形態の内視鏡装置の挿入部先端の縦断面図。
【図４】同実施形態のＬＥＤ照明手段の前部側の斜視図。
【図５】同実施形態のＬＥＤ照明手段の正面図。
【図６】同実施形態のＬＥＤ照明手段の後部側の斜視図。
【図７】同実施形態の変形例を示す斜視図。
【図８】この発明の第２の実施形態を示す分解斜視図。
【図９】同実施形態の変形例を示す斜視図。
【図１０】この発明の第３の実施形態を示す分解斜視図。
【図１１】この発明の第４の実施形態を示す分解斜視図（Ａ）と、組立後の斜視図（Ｂ）を併せた図。
【図１２】この発明の第５の実施形態を示す縦断面図。
【図１３】同実施形態を示す分解斜視図（Ａ）と、組立後の斜視図（Ｂ）。
【図１４】この発明の第６の実施形態を示す斜視図。
【図１５】同実施形態を示す縦断面図。
【符号の説明】
【００６４】
３  挿入部
１５  アダプタハウジング（挿入部のハウジング）
１８，１１８，３１８，４１８，５１８  ＬＥＤ照明手段
２０，１２０  取付ベース
２１Ａ，２１Ｂ，１２１Ａ，１２１Ｂ  電極金属
２２，１２２Ａ，１２２Ｂ，２２２Ａ，２２２Ｂ  絶縁性板状部材
２３  ＬＥＤベアチップ
２４  収容孔
２５Ａ，２５Ｂ，１２５  キャビティ部材
２６  ワイヤ配線（配線手段）
２７  蛍光体
３５  チップ取付孔
【図１】
2005253510.tif 000003
【図２】
2005253510.tif 000004
【図３】
2005253510.tif 000005
【図４】
2005253510.tif 000006
【図５】
2005253510.tif 000007
【図６】
2005253510.tif 000008
【図７】
2005253510.tif 000009
【図８】
2005253510.tif 000010
【図９】
2005253510.tif 000011
【図１０】
2005253510.tif 000012
【図１１】
2005253510.tif 000013
【図１２】
2005253510.tif 000014
【図１３】
2005253510.tif 000015
【図１４】
2005253510.tif 000016
【図１５】
2005253510.tif 000017